(57)【特許請求の範囲】
【請求項１】
所定の周波数成分を有するウォブル信号で線速一定になるようにウォブリングされたデータ記録用トラックを有する光記録媒体にデータを記録する光記録装置において、
発振器を備え、前記ウォブル信号に同期させ前記光記録媒体に記録する記録データに所定の変調処理を施すための同期信号である記録用クロック信号を生成するための記録パルス生成クロックを発生するＰＬＬ手段と、
前記記録パルス生成クロック信号を分周して前記記録用クロック信号を生成する分周手段と、
前記ウォブル信号に同期して前記光記録媒体に記録されたアドレス信号を前記記録用クロック信号で検出及び復調する検出・復調手段と、
前記光記録媒体の外周へのシーク時には前記分周の比を変化させて、前記光記録媒体の内周へのシーク時より前記記録用クロック信号の周波数を下げると共に、前記分周手段の分周比を変化させた場合でも前記発振器の発振周波数が前記ＰＬＬ手段のロックレンジ内で、前記ウォブル信号の周波数が所定の周波数より高速になっても同期したときの前記発振器の発振周波数の上限を超えないようにする分周比制御手段と、
を備えていることを特徴とする光記録装置。
【請求項２】
前記検出・復調手段は、前記光記録媒体に前記ウォブル信号に同期して位相変調して記録された前記アドレス信号を検出及び復調することを特徴とする請求項１に記載の光記録装置。
【請求項３】
前記検出・復調手段は、前記光記録媒体に前記ウォブル信号に同期してピットにより設けられた前記アドレス信号を検出及び復調することを特徴とする請求項１に記載の光記録装置。
【発明の詳細な説明】
【技術分野】
【０００１】
本発明は、データ記録可能なＣＤ−Ｒ／ＲＷ、ＤＶＤ−Ｒ／ＲＷ、ＤＶＤ＋Ｒ／ＲＷ等の光記録媒体にデータを記録する光記録装置に関する。
【背景技術】
【０００２】
所定の周波数成分を有するウォブル信号で線速度一定にウォブリングされたデータ記録用トラックを有する光ディスクとして、ＣＤ−Ｒ、ＣＤ−ＲＷ、ＤＶＤ−Ｒなどの記録媒体（メディア）が知られており、これらの光ディスクに位相同期した記録クロック信号を発生させるデータ記録用クロック発生装置（例えば、特許文献１参照）が知られている。
さらに、ウォブル信号にアドレス情報などを位相変調によって重畳した光ディスク（例えば、特許文献２参照）や、光ディスクのウォブル信号に位相同期した記録用クロック信号を発生させるデータ記録用クロック信号発生装置が知られている。
図２は、光ディスク装置の構成例を示すブロック図である。光ディスク１には、所定の周波数成分を有するウォブル信号でウォブリングされたデータ記録用トラックが存在する。
記録クロック生成回路７はウォブル信号（ＷＢＬ）に同期した記録用パルス生成クロック信号（ＳＣＬＫ）を発生させる。この記録用パルス生成クロックは分周器８（図３）で分周され、記録用クロック信号（ＷＣＬＫ）を発生する。
図３は、図２に示した記録クロック生成回路７の構成例を示すブロック図である。この記録クロック生成回路７は、いわゆるＰＬＬ（Phase Locked Loop）回路で構成される。
位相比較器１４は、ウォブル信号（ＷＢＬ）と記録用クロック信号（ＷＣＬＫ）を分周器１８で所定比に分周した信号（分周クロック）との位相差を比較する。
位相比較器１４からの出力は、チャージポンプ１５によって電圧信号に変換された後、フィルタ１６によって平滑化され、ＶＣＯ（Voltage Controlled Oscillator）１７に入力される。ＶＣＯ１７の出力クロック（ＳＣＬＫ）は、ＶＣＯ１７の入力電圧によりその周波数が制御される。ＶＣＯ１７の出力クロックは分周器８により分周され記録用クロック信号（ＷＣＬＫ）になる。その結果、記録用クロック信号（ＷＣＬＫ）の位相は、ウォブル信号（ＷＢＬ）に同期したものになる。
チャージポンプ１５は電流変換を行い、ＶＣＯ１７の代わりにいわゆるＩＣＯ（電流制御発振器）を用いることもできる。
【０００３】
図２に戻り、光ディスク駆動装置の同期検出回路１２とアドレスデコーダ９は、それぞれウォブル信号に重畳された同期信号とアドレス情報を検出する。そして、データの記録を行う場合、データエンコーダ１１は、記録用クロック信号（ＷＣＬＫ）に同期して記録データに所定の変調処理を施す。
パルス生成回路１３は、変調された記録データに応じて光ピックアップ４が射出するレーザビーム強度をパルス変調する。ＬＤドライバ６はパルス変調された記録データを光ディスクに照射する。この結果、データ記録用トラックのウォブル信号に同期してデータの記録が行なわれる。
ＣＤ−Ｒ、ＣＤ−ＲＷ、ＤＶＤ−Ｒ等の光ディスクは、記録密度を高めるために線速あたりの情報量が一定になるように記録を行う。そのため、記録も線速一定で行うのが一般的で、ＣＬＶ（Constant Linear Verocity）記録と呼ぶ。ＣＬＶ記録は、書込みデータの転送レートが一定で、さらに熱履歴を考慮しなければならない書込みパルス形状が、書込みデータに対して一義的に決められるため、高品質の記録を行いやすいという利点がある。ただし、内周を記録する場合と外周を記録する場合でのディスクの回転速度が異なるために、シークを行う場合にスピンドルの速度が目標位置の線速に対応する速度に達するのを待たなければならず、アクセスタイムの面で不利である欠点がある。
一方で、前記線速あたりの情報量が一定の光ディスク、すなわちスピンドルを角速度一定で回転させながら、光ディスクから得られるウォブル信号に応じて単位時間あたりの情報量を可変として記録するＣＡＶ（Constant Angular Verocity）記録と呼ぶ。ＣＡＶ記録は、シークの際のスピンドルの速度の整定が不要で、スピンドルモータの負荷が軽くできる上、アクセスタイムの面で有利である。しかし、熱履歴を考慮しなければならない書込みパルス形状をディスク上の書き込む位置により変更しなければならないという大きな問題がある。ＣＡＶ記録に使用する記録用クロック生成回路に含まれるＰＬＬ回路は広い帯域のロックレンジをもつ高性能なＰＬＬ回路である必要がある。
実際には、光ディスク装置では、ＣＬＶ記録を基本的に使用するが、シークの際にスピンドルに大きな負荷のかかる高倍速での記録時や、パケットライトのように頻繁にアクセスをともなう記録のときにＣＡＶ記録を行えるような性能が望ましい。このため、通常半導体で作られる記録用クロックを生成するＰＬＬ回路は、ＣＬＶ記録とＣＡＶ記録の両方に対応した広帯域のロックレンジを持つＰＬＬ回路とされる。
【０００４】
光ディスクに記録を行う場合、レーザーを照射し低反射部（マーク）を作るか、レーザーの照射を止めて高反射部（スペース）のまま留め置くかで１／０のデジタル信号を記録するが、実際にマークを作る場合、マークの長さの間ずっとレーザーを照射し続けるわけではない。ブックによると、チャンネルクロック長、すなわち記録用クロック長より短いパルスの断続的な照射によって一つのマークを作ることになる。この場合、ウォブルに同期したチャンネルクロックよりもさらに周期の短い周期のクロックが必要になる。このため、ウォブルに同期したチャンネルクロックを発生するＰＬＬ回路に含まれるＶＣＯは、チャンネルクロックの整数倍のクロックを発生し、前記チャンネルクロックの整数倍のクロックを記録パルス生成用クロックとし、さらにこれを分周することによりチャンネルクロックを生成する。記録パルス生成用クロックは、チャンネルクロックに対して周波数が高いほど高精度のパルスを作ることが可能である。
これらのことから、一旦ウォブルに同期した高い周波数の記録パルス用クロックを生成し、これを分周することにより記録用チャンネルクロックが生成される。
以上のように、光ディスク装置には、記録用チャンネルクロックの数倍の周波数で発振するＶＣＯを備えたＰＬＬ回路が用いられるものがある。近年、光ディスク装置の記録速度が年々上がってきており、ＤＶＤシステムでは標準記録速度の１６倍という製品も登場している。ＤＶＤシステムで１６倍速というと、記録用チャンネルクロックはおよそ４２０ＭＨｚであり、それより周波数の高い記録用パルス生成クロックは仮に２倍の周波数としても８４０ＭＨｚとなる。これらのクロックを生成するＶＣＯは一般に半導体装置により構成され、その発振周波数には上限がある（図４参照）。また、何らかの要因でＰＬＬ回路のロックが外れて発振周波数が上がりすぎると、分周器等ＰＬＬ回路の帰還に関する回路が誤動作を起こし正常な発振周波数に戻ってこない暴走状態に陥る可能性がある。このことを防止するために、ＶＣＯには上限周波数にリミッタを設ける場合もある。
【０００５】
光ディスクのアクセスタイムを短くする技術としては次のようなものが知られている。
まず、特許文献３が知られている。これは、アクセス時の待ち時間を減少させると同時に最大線速度の大幅な増加を防止するものである。線速度一定（ＣＬＶ）でデータが記録されたＣＤ−ＲＯＭを、そのアクセス位置が内径側から外径側に移動するに従って線速度が増加し且つ回転数が減少するように回転させた状態で、ＣＤ−ＲＯＭからデータを読み取る。読取ヘッドから出力される読取信号ＲＳの速度は、ＣＤ−ＲＯＭの径方向の読取位置によって変化するが、クロック再生回路は読取信号ＲＳに同期したクロック信号ＣＫを再生する。そして、再生されたクロック信号ＣＫに従って読取信号ＲＳがＥＦＭ復調され、メモリに順次格納される。メモリに格納された復調信号は、所定のタイミングで読み出されて後段の再生処理に供される。
特許文献４も知られている。これは、線速度一定で記録された光ディスクを、スピンドルモータのトルク変動を抑えて短時間でシークでるようにするものである。等線速度で記録された光ディスクを回転駆動するスピンドルモータを、光ディスクリード時には再生クロック信号と基準クロック信号とを位相一致させることで等線速度回転状態にロックするとともに、光ディスクシーク時には加速信号又は減速信号により加減速する一方、該加速信号又は減速信号により基準クロック信号を周波数補償し、シーク目標トラックにおける可変ピッチ再生に供する。これにより、シーク中のスピンドルモータのトルク変動を抑制するとともに、アクセスタイムの短縮を図る。
【０００６】
特許文献５は、ＣＬＶ（線速度一定）方式により駆動されるコンパクト・ディスク記録および再生装置において、アクセスタイムの短縮、消費電力や発熱量を低減させるものである。記録媒体の半径方向におけるピックアップの位置に応じて前記記録媒体の回転数を変化させる光ディスク装置において、現在位置と目標位置との関係に基づいて、複数種類の基準周波数信号から１つの基準周波数を選択する。回転数を変化させていたドライブにおいて、現在位置と目標位置の関係に基づいて回転モードを決定するので変速量が最小で済み、変速時間の短縮ひいてはアクセスタイムの短縮、および消費電力、発熱の低減が可能になる。
特許文献６は、光ディスク１の回転が整定しなくても記録可能にするものである。トラックに螺旋状の案内溝が形成され、該案内溝は所定の空間周波数を中心に、所定帯域幅で周波数変調されたＦＭ信号でディスク径方向に蛇行している場合に、トラッキングエラー信号検出器、帯域通過フィルタ、比較器及び周波数逓倍回路により当該ＦＭ信号に位相同期して、その逓倍の周波数のＦＭクロックを出力する。そして当該ＦＭクロックに同期して、変調器及びレーザー駆動回路を用いてデータを記録する。
特許文献７は、省電力・低振動で、かつ、高速アクセスが可能な、ＣＬＶ方式の光ディスク装置を実現するものである。ＣＬＶ方式の光ディスク装置において、通常は一定である目標線速度値を、状況に応じて所定値まで制御する。ランダムアクセスの場合、シーク直後の時点で、ディスクの回転数を測定して、この回転数に対応する、実際の線速度を暫定目標値に設定し、この暫定目標値を所望のアドレスに対応する、通常の基準値に達するまで、シーク方向が光ディスクの内周側であるか外周側であるかによって、漸増もしくは漸減する。
【０００７】
特許文献８は、ロックインタイムを短くすることなくアクセスタイムを短縮することが可能なディスクドライブ装置を提供するものである。信号検出手段によってディスクから読み取られた検出信号を基準信号として同期クロックを生成するＰＬＬ回路を備え、同期クロックに基づいてディスクの回転を所定状態に制御してディスク上の情報を再生するディスクドライブ装置において、シーク時において、信号検出手段がディスクの信号面部を通過する際に得られる検出信号に対して機能するようにＰＬＬ回路を構成する。
特許文献９は、円盤状情報記録媒体の情報信号の読み取り速度が大きく変化しても自動的に所望の動作点を確保し、情報信号の安定した再生動作を確保するディスク再生装置のクロック抽出装置を提供するものである。速度検出器で電圧制御発振器からの入力により情報信号の読み取り速度を検出し、その速度に応じたゲインをゲイン指令器で指定してチャージポンプの出力電流値を切り替えることによって、自動的にクロック抽出回路のループゲインが所望の動作点になるよう構成する。周波数比較器は光ピックアップからの情報信号と電圧制御発振器からの出力との周波数差を検出し差を少なくするようにチャージポンプを制御し、同様に位相比較器３は同じ入力の位相差をなくすようにチャージポンプを制御する。
【特許文献１】特開平１０−２９３９２６号公報
【特許文献２】特開２００１−３１９４２８公報
【特許文献３】特許第２６９７５９６号
【特許文献４】特許第２６０６６７０号
【特許文献５】特開平８−２２１８９８号公報
【特許文献６】特開平１０−１６２３６６号公報
【特許文献７】特開平１１−１１０９０４号公報
【特許文献８】特開２０００−５７６８５公報
【特許文献９】特開２００２−１５７８４１公報
【発明の開示】
【発明が解決しようとする課題】
【０００８】
図２、図３の光ディスク装置において、線速一定に記録する光ディスク上にウォブリングされたウォブル信号に同期してデータを記録するためには、前述の記録クロック生成回路７で安定してウォブル信号に同期した記録用クロック信号を発生させる必要がある。そのために、記録クロック生成回路７では、位相比較器１４を用いてウォブル信号と分周した記録用クロック信号とを同期させる。ディスク１上のアドレスは、ウォブル信号に同期して位相変調、あるいはピットを形成することにより埋め込まれているため、ウォブルに同期した記録用クロックを用いて検出、復調される。
光ディスク１への記録パルスは、記録データのチャンネルクロックよりも高い周波数のクロックが使用される。記録用パルスはチャンネルクロックに対して高い周波数であるほど、高精度の記録パルスが生成できる。そのため、ＣＬＶ記録では記録用クロックを発生するＰＬＬ回路のＶＣＯ１７はその発振周波数の上限付近を使用するとよい。
ところが、ＣＬＶ記録において光ディスク１の内周から外周へシークを行うと、線速が一時的に大きくなる。記録実行時に対応するＶＣＯ１７の発振周波数をＶＣＯ１７の発振可能周波数の上限で使用していると、線速が所定の周波数に低下するまでアドレスが読めないため、次のシークを行うことができない。結果として、アクセスタイムが増大するという不具合がある。
そこで、本発明の目的は、高精度の記録パルスを犠牲にすることなく、製造コストの上昇を伴うことなく、アクセスタイムを改善することである。
【課題を解決するための手段】
【０００９】
請求項１に記載の発明は、所定の周波数成分を有するウォブル信号で線速一定になるようにウォブリングされたデータ記録用トラックを有する光記録媒体にデータを記録する光記録装置において、発振器を備え、前記ウォブル信号に同期させ前記光記録媒体に記録する記録データに所定の変調処理を施すための同期信号である記録用クロック信号を生成するための記録パルス生成クロックを発生するＰＬＬ手段と、前記記録パルス生成クロック信号を分周して前記記録用クロック信号を生成する分周手段と、前記ウォブル信号に同期して前記光記録媒体に記録されたアドレス信号を前記記録用クロック信号で検出及び復調する検出・復調手段と、前記光記録媒体の外周へのシーク時には前記分周の比を変化させて、前記光記録媒体の内周へのシーク時より前記記録用クロック信号の周波数を下げると共に、前記分周手段の分周比を変化させた場合でも前記発振器の発振周波数が前記ＰＬＬ手段のロックレンジ内で、前記ウォブル信号の周波数が所定の周波数より高速になっても同期したときの前記発振器の発振周波数の上限を超えないようにする分周比制御手段と、を備えていることを特徴とする光記録装置である。
請求項２に記載の発明は、請求項１に記載の光記録装置において、前記検出・復調手段は、前記光記録媒体に前記ウォブル信号に同期して位相変調して記録された前記アドレス信号を検出及び復調することを特徴とする。
請求項３に記載の発明は、請求項１に記載の光記録装置において、前記検出・復調手段は、前記光記録媒体に前記ウォブル信号に同期してピットにより設けられた前記アドレス信号を検出及び復調することを特徴とする。
【発明の効果】
【００１０】
本発明によれば、記録トラックにウォブリングされたウォブル信号に同期したアドレス信号が記録されている光記録媒体の高速、高精度の記録用クロック信号の生成に関して、光記録媒体を回転するスピンドルの整定を待たずにアドレス信号を読み取ることができるので、高精度の記録パルスを犠牲にすることなく、製造コストの上昇を伴うこともなく、アクセスタイムを改善することができる。
【発明を実施するための最良の形態】
【００１１】
以下、本発明を実施するための最良の形態について説明する。
図１は、本実施形態の光ディスク装置の電気的な接続のブロック図である。
この光ディスク装置は、本発明の光記録装置を実施するもので、所定の周波数成分を有するウォブル信号で線速一定になるようにウォブリングされたデータ記録用トラックを有する光記録媒体である光ディスク１に対してデータの光記録や再生を行う。
スピンドルモータ２は光ディスク１を回転駆動し、光ピックアップ４は光ディスク１にレーザビームを照射してデータの光記録や再生を行う。モータードライバー３はスピンドルモータ２や、光ピックアップ４をシーク動作するモータを駆動する。スピンドル制御回路２３はスピンドルモータ２を制御する。
アンプ５は、光ディスク１の反射光から光ピックアップ４で得られた信号（ＲＦ信号、ウォブル信号）を増幅する。データデコーダ１０はＲＦ信号をデコードして再生データを得る。
同期検出回路１２とアドレスデコーダ９（検出・復調手段）は、それぞれウォブル信号に重畳された同期信号とアドレス信号を検出する。そして、データの記録を行う場合、データエンコーダ１１は、記録用クロック信号（ＷＣＬＫ）に同期して記録データに所定の変調処理を施す。
パルス生成回路１３は、変調された記録データに応じて光ピックアップ４が射出するレーザビーム強度をパルス変調する。ＬＤドライバ６は、光ピックアップ４内の発光素子であるレーザーダイオード（ＬＤ）を駆動し、パルス変調された記録データを光ディスク１に照射する。この結果、データ記録用トラックのウォブル信号に同期してデータの記録が行なわれる。
シーク制御回路２１は、光ピックアップ４のシーク動作を制御する。
マイクロコンピュータ２２は、光ディスク装置全体を集中的に制御する。
記録クロック生成回路７はウォブル信号（ＷＢＬ）に同期した記録用パルス生成クロック信号（ＳＣＬＫ）を発生させる。この記録用パルス生成クロックは分周器８（分周手段）（図３）で分周され、記録用クロック（ＷＣＬＫ）を発生する。
【００１２】
図３は、図１に示した記録クロック生成回路７の構成例を示すブロック図である。この記録クロック生成回路７は、いわゆるＰＬＬ（Phase Locked Loop）回路（ＰＬＬ手段）で構成される。位相比較器１４は、ウォブル信号（ＷＢＬ）と記録用クロック信号（ＷＣＬＫ）を分周器１８で所定比に分周した信号（分周クロック）との位相差を比較する。
位相比較器１４からの出力は、チャージポンプ１５によって電圧信号に変換された後、フィルタ１６によって平滑化され、ＶＣＯ（Voltage Controlled Oscillator）１７に入力される。ＶＣＯ１７の出力クロック（ＳＣＬＫ）は、ＶＣＯの入力電圧によりその周波数が制御される。ＶＣＯ１７の出力クロックは分周器８により分周され記録用クロック信号（ＷＣＬＫ）になる。その結果、記録用クロック信号（ＷＣＬＫ）の位相は、ウォブル信号（ＷＢＬ）に同期したものになる。
チャージポンプ１５は電流変換を行い、ＶＣＯ１７の代わりにいわゆるＩＣＯ（電流制御発振器）を用いることもできる。
スピンドル制御回路２３は、回転する光ディスク１に線速一定でウォブリングされたウォブル信号（ＷＢＬ）の周波数が一定になるように、モータードライバー３を制御する。その結果、光ディスク１は線速が一定になるよう、ＣＬＶ制御される。ＣＬＶ制御では、記録動作中は、図５に示すように光ディスク１のディスク半径位置に応じてディスク回転数が次第に変化するよう制御される。つまり、光ディスク１の内周側４１の半径位置に比べて、外周側４２の半径位置は、ディスク回転数が小さくなる。一方で、ＣＬＶでの記録中は線速が一定なので、ＶＣＯ１７の周波数は一定の周波数に保たれる。
【００１３】
ところで、ＤＶＤ＋ＲＷやＤＶＤ−ＲＷの規格に代表される光ディスクは、ウォブル信号に同期した記録用クロック信号（ＷＣＬＫ）を発生させるために、図３に示すようなＰＬＬ（Phase Lock Loop）回路を使用する。実際の書込みパルスは、ディスク１上に形成されるピットの形状の制御を行うために、記録用クロック信号（ＷＣＬＫ）よりも細かいパルスを連続して照射する。そのために、記録用クロック信号のＮ倍の周波数の記録パルス生成クロック、通称ストラテジクロック（ＳＣＬＫ）をＰＬＬ回路で生成し、これを１／Ｎ分周器８で１／Ｎ分周した信号をＷＣＬＫとして使用する。ここで、ＰＬＬ回路に含まれるＶＣＯ１７はＳＣＬＫを発生させるために、記録用クロック信号（ＷＣＬＫ）のＮ倍の周波数で発振させる必要がある。近年の製品のＤＶＤの書込み速度は標準速の１６倍でチャンネルクロックは約４２０ＭＨｚである。ストラテジクロックＳＣＬＫはＮ＝２としても８４０ＭＨｚになる。高品質の書込みのためには、この分周比Ｎは大きいほど細かいパルス幅制御ができるため望ましい。
しかし、このＶＣＯ１７は一般に半導体製造プロセスにより製造されるために、発振周波数に上限があり、図４に示すような周波数特性をしめす。書込みチャンネルクロックは、書込み線速により決まってくるため、分周比Ｎを大きくするためには、図４に示すようにＶＣＯの発振周波数の上限近くを使用することになる。
【００１４】
次に、ＶＣＯ１７の発振周波数の上限近くを使用している光ディスク用データ記録用クロック信号発生装置で、内周位置から外周位置へのシークを行う場合を考える。
図６に光ディスク１のディスク回転数の時間変化を示す。ＤＶＤのような内周から外周へ向かってトラックが刻まれているディスクでは、線速一定で記録しているときは、Ａ地点からＢ地点へ向かって、ディスクの回転数が徐々に小さくなる。Ｂ地点で外周へ向かってシークした場合、一回目に着地した地点Ｃでの回転数はＢ地点とほとんど同じである。回転数がシーク前の内周側の線速に応じたものになっているため、より外周のＣ地点での線速は所定の線速よりも速く、スピンドル制御回路２３はＣ地点での線速に応じた回転数Ｄまで減速する。その後、Ｄ地点から外周に向かって徐々に減速しながらＥ地点に至る。
図６は時系列でディスク回転数の変化を示したが、図７はディスク半径位置でディスク回転数の変化を示したものである。Ａ地点からＢ地点へは線速に応じた回転数の変化で、Ｂ地点からＣ地点へはシークを示す。Ｃ地点では線速が速すぎるのが判る。
さらに図８はこの時の線速の変化を示す。シーク直後はＢからＣへ線速が一時的に大きくなり、スピンドルが整定するとＤからＥの線速に落ち着くのがわかる。
図９は前述のシークの際のＶＣＯ１７の周波数の変化を示す。シーク前の周波数がＶＣＯ１７の発振周波数の上限に対して十分余裕がある場合は、シーク前後で線速の変化、すなわち図８のＡ−Ｂ−Ｃ−Ｄ−Ｅに応じて、ＶＣＯ１７の周波数も追従することが可能である（図９のＡ−Ｂ−Ｃ−Ｄ−Ｅ）。一方で、図９のＡ’のように線速に応じたＶＣＯ１７の周波数が上限に近い状態から外周へシークした場合は、線速に応じてＡ’−Ｂ’−Ｃ’−Ｄ’−Ｅ’のようには変化せず、ＶＣＯ１７の周波数は上限以上には上がらず、Ａ’−Ｂ’−Ｃ”−Ｄ’−Ｅ’のように変化する。このＣ”の時点では線速とＶＣＯ１７の周波数の同期が取れていないためにアドレスが読めない。
この線速とＶＣＯ１７の周波数の同期が取れていない場合にアドレスが読めない理由を次に示す。
【００１５】
図１１はＤＶＤ＋ＲＷのようにアドレスがウォブル信号に位相変調されて埋め込まれている場合の位相変調部の信号波形を示す。ウォブルに同期したクロックでアドレス読み取る装置の場合、図９のＣ”ように、ウォブル、すなわち線速とＶＣＯ発振の間の同期が取れていない場合にはアドレスを読むことができない。アドレスが読めるようになるのは、スピンドルが減速して線速と同期したＶＣＯ１７の周波数に一致する、Ｃ’−Ｄ’のラインとＣ”―Ｄ’のラインが交わる点である。
光ディスク装置のシークの場合で特に半径位置を大きく移動する時、高速で光ピックアップを移動させるために、着地点が正確でないことが多い。このため、大きな半径位置を移動するシークは粗シークと呼ばれる。対して、小さな半径位置の移動は比較的着地点の精度が良いため精シークと呼ぶ。実際に半径位置を大きく移動する必要がある時は、粗シークで大きく移動した後（図１３のａ）、着地点のアドレスを読んで目標位置との誤差を計算し、精シークを何度か繰り返し（図１３のｂ、ｃ）、目標半径位置に達する。
このとき、粗シークの着地点で直ちに線速とＶＣＯ１７の周波数の同期が取れるとアドレスを読むことができ精シークに移ることができる。
一方で、粗シークの着地点でＶＣＯ１７の周波数の上限のために線速との同期が取れないスピンドルが減速するまでアドレスを読むことができず、精シークに移るまでに時間がかかってしまう。その結果、シークのアクセスタイムは、粗シーク直後にアドレスが読めない場合は、アドレスの読める場合に比べて大きくなってしまう。図１４にそれぞれの場合のアクセスタイムの内訳を示す。一般に、ＰＬＬ回路の引き込み時間はスピンドルの整定時間に比べて十分短い。
以上の事由により、光ディスク１上に線速に同期してアドレスが埋め込まれている光ディスク装置でＶＣＯ１７の周波数の上限で書込みを行う高精度で高速書込みのシステムでは、光ディスクの外周におけるシークでのアクセスタイムが大きくなってしまう欠点がある。
【００１６】
そこで、図１に示す本実施形態の光ディスク装置は、次のような特徴を備えている。まず、光ディスク１の外周へ向けてシークを行う場合には、ＣＰＵ２２からシーク制御回路２１にシーク命令を出す。このとき、シーク制御回路２１は、一旦分周器８の分周比を変化させ、光ディスク１の内周へ向けてシークを行う場合に比べ、線速に同期した状態の記録用クロック信号（ＷＣＬＫ）の周波数を下げる（分周比制御手段）。分周器１８の分周比の変化の度合いは、分周比を変化させた場合でもＶＣＯ１７のロックレンジ以内であること、シークした場合のＶＣＯ１７の周波数の変化がＶＣＯ発振周波数の上限を越えないことを条件に決定する。
その後、外周へのシークを行った場合は、ＶＣＯは発振周波数の上限に達することなく、速やかに線速にロックができ、アドレスを読むことができる。結果として、アクセスタイムを短くすることが可能となる。図１０は、この場合のシーク時のＶＣＯ１７の周波数の変化を示したものである。なお、分周器８の分周比を変化させるとき、ＳＣＬＫの周波数を落とすことになるが、シーク時は実際に書込みを行わないので書込み精度は問題にならない。
なお、図１は、光ディスク１にはウォブル信号に同期してアドレス信号が位相変調して記録されている例であるが、光ディスク１にはウォブル信号に同期してピットによりアドレス信号が設けられているときは、図１５の例のように、ウォブル信号からプリピット検出回路３１によりプリピットを検出し、動機検出回路３２、アドレスデコーダ３９でアドレス信号を検出、復調すればよい。
【図面の簡単な説明】
【００１７】
【図１】本発明の一実施形態である光ディスク装置の電気的な接続のブロック図である。
【図２】光ディスク装置の一構成例の電気的な接続のブロック図である。
【図３】記録クロック生成回路の回路図である。
【図４】ＶＣＯの特性を示す説明図である。
【図５】ディスク半径位置とディスク回転数の関係を示すグラフ図である。
【図６】従来の光ディスクの外周へシークした時のディスク回転数の時間による変化を示す図である。
【図７】従来の光ディスクの外周へシークした時のディスク回転数の半径位置による変化を示す図である。
【図８】従来の光ディスクの外周へシークした時の線速の時間による変化を示す図である。
【図９】従来の光ディスクの外周へシークした時のＶＣＯ周波数の時間による変化を示す図である。
【図１０】本実施形態で光ディスクの外周へシークした時のＶＣＯ周波数の時間による変化を示す図である。
【図１１】ウォブル信号に位相変調により埋め込まれたアドレスの信号波形の例を示す波形図である。
【図１２】ウォブル信号にプリピットにより埋め込まれたアドレスの信号波形の例を示す波形図である。
【図１３】外周へシークする時の光ピックアップの動きの説明図である。
【図１４】従来と本実施形態のアクセスタイムの比較の説明図である。
【図１５】本発明の一実施形態である光ディスク装置の他の構成例の電気的な接続のブロック図である。
【符号の説明】
【００１８】
１  光記録媒体、７  ＰＬＬ手段、８  分周手段、９、１２、３２、３９  検出・復調手段
【図１】
0004585413.tif 000002
【図２】
0004585413.tif 000003
【図３】
0004585413.tif 000004
【図４】
0004585413.tif 000005
【図５】
0004585413.tif 000006
【図６】
0004585413.tif 000007
【図７】
0004585413.tif 000008
【図８】
0004585413.tif 000009
【図９】
0004585413.tif 000010
【図１０】
0004585413.tif 000011
【図１１】
0004585413.tif 000012
【図１２】
0004585413.tif 000013
【図１３】
0004585413.tif 000014
【図１４】
0004585413.tif 000015
【図１５】
0004585413.tif 000016